(57)【要約】【課題】器具本体と表示ユニットの係止部が破損したことを察知できる表示灯を提供する。【解決手段】表示灯Ａは、前面が開口した器具本体１０と、上側端面からの入射光を発光面から面状に放射する導光板２２及び導光板２２の発光面に対向して配置される表示パネル２１を有する表示ユニット２０と、表示ユニット２０の上側端面に光を入射させる光源ユニット３０とを備える。器具本体１０の左右両側壁に形成されたＬ字状の係止片１３及び係止片１４と、表示ユニット２０の後方に突設されたＬ字状の係合突起２５及び係合突起２６とによって、それぞれ第１の係止部及び第２の係止部が構成される。第１の係止部が破損すると、第２の係止部によって表示ユニット２０が器具本体１０に保持され、器具本体１０の外部に光源ユニット３０からの光が照射される隙間が生じる。【選択図】図１
2010277792.tif 000002
【特許請求の範囲】
【請求項１】
前面が開口した直方体状の器具本体と、前記開口に取着され、上側の端面から入射する光を発光面から面状に放射する導光板および導光板の発光面に対向して配置される表示パネルを有する表示ユニットと、前記表示ユニットの上側の端面に光源の発光部を対向させた状態で前記器具本体に取着される光源ユニットと、前記器具本体の内部に配設されて前記光源を点灯させる点灯装置と、
前記表示ユニット及び前記器具本体は、互いに係合して前記表示ユニットが前記器具本体に保持される第１の係止部と、前記第１の係止部が破損した際に、前記表示ユニットが自重によって一定量下方へ移動した位置で互いに係合し、前記表示ユニットを前記器具本体に保持させる第２の係止部とを備え、
前記一定量は、前記第２の係止部によって前記表示ユニットが保持された状態において、前記表示ユニットと前記器具本体との間に前記光源からの光が前記器具本体の外部に照射させる隙間を生じさせるような寸法に設定されたことを特徴とする表示灯。
【請求項２】
前記第２の係止部は、前記第１の係止部によって前記表示ユニットが前記器具本体に保持されている状態では、前記表示ユニットの前後方向における移動を制限することを特徴とする請求項１記載の表示灯。
【請求項３】
前記第２の係止部は、前記表示ユニットが前記第１の係止部によって保持される位置から、自重によって前記一定量下方に移動する際に、前記表示ユニットをガイドする手段を兼ねることを特徴とする請求項１または２の何れかに記載の表示灯。
【請求項４】
前記一定量は、前記第２の係止部によって前記表示ユニットが保持された状態において、前記光源からの光によって前記表示パネルの明るさが所定の基準値以上となるような寸法に設定されたことを特徴とする請求項１〜３の何れか一項に記載の表示灯。
【発明の詳細な説明】
【技術分野】
【０００１】
本発明は、表示灯に関するものである。
【背景技術】
【０００２】
従来、誘導灯などの表示灯として、例えば避難口へ誘導するためのピクトグラムが表記された表示パネルをスライド自在に取り付ける取付手段を用いて、小型化を可能にしたものが提供されている（例えば、特許文献１を参照）。
【０００３】
特許文献１に記載された表示用照明器具は、前面が開口した直方体状の器具本体を備え、この器具本体には光源及び光源を点灯させる点灯装置が配設され、器具本体の開口には表示ユニットが装着されている。器具本体の左右それぞれの内側面には、器具本体の前面に沿って延びる保持片と、器具本体の前後方向に沿って延びる規制片とからなる、Ｌ字状のガイド壁が上下方向に２段ずつ設けられている。また表示ユニットは、ピクトグラムが表記された表示パネルを有し、表示ユニットの裏面側には、ガイド壁と係合して表示ユニットを器具本体に保持させる係合突起が、各ガイド壁と対応する位置にそれぞれ設けられている。
【０００４】
ここで、表示ユニットを器具本体に取り付ける際には、上段に設けられたガイド壁の規制片と、対応する係合突起の下縁側が当接することで、表示ユニットが下方側へ移動することが抑制されるとともに、下段に設けられたガイド壁の保持片と対応する係合突起によって、表示ユニットが器具本体の前後方向に移動することを抑制される。このようにして、ガイド壁と係止突起とが係合することで、器具本体に表示パネルがスライド自在に保持される。
【先行技術文献】
【特許文献】
【０００５】
【特許文献１】特開２００２−２３６７１号公報
【発明の概要】
【発明が解決しようとする課題】
【０００６】
ところで、特許文献１記載の表示用照明器具では、ガイド壁に設けられた上側の規制片には、表示ユニットの重量が継続的に加重されるため、疲労やその他の要因によって破損する可能性がある。また、ガイド壁に設けられた上下の規制片の間隔と、表示ユニットに設けられた対応する係合突起の下縁側の間隔とは、略等しい間隔に設定されている。このため、上段の規制片や上段の係止突起が破損し、表示ユニットが自重によって下方に移動した場合であっても、下段に設けられたガイド壁の規制片によって表示ユニットが下方側へ移動することが抑制され、破損の前後における表示ユニットの位置は殆ど変化しない。これにより、表示用照明器具の外部から、上段の規制片や係止突起が破損したことを察知することが出来ず、上段の規制片や係止突起が破損した状態の表示用照明器具を使用し続けてしまうといった問題があった。
【０００７】
本発明は、上記事由に鑑みて為されたものであり、その目的とするところは、上段に設けられたガイド壁の規制片や、表示ユニットの係止突起が破損した場合に、それらが破損した状態であることを察知することができ、交換や修理などの対策を行うことを可能にした表示灯を提供することにある。
【課題を解決するための手段】
【０００８】
上記目的を達成するために、請求項１の発明では、前面が開口した直方体状の器具本体と、前記開口に取着され、上側の端面から入射する光を発光面から面状に放射する導光板および導光板の発光面に対向して配置される表示パネルを有する表示ユニットと、前記表示ユニットの上側の端面に光源の発光部を対向させた状態で前記器具本体に取着される光源ユニットと、前記器具本体の内部に配設されて前記光源を点灯させる点灯装置と、前記表示ユニット及び前記器具本体は、互いに係合して前記表示ユニットが前記器具本体に保持される第１の係止部と、前記第１の係止部が破損した際に、前記表示ユニットが自重によって一定量下方へ移動した位置で互いに係合し、前記表示ユニットを前記器具本体に保持させる第２の係止部とを備え、前記一定量は、前記第２の係止部によって前記表示ユニットが保持された状態において、前記表示ユニットと前記器具本体との間に前記光源からの光が前記器具本体の外部に照射させる隙間を生じさせるような寸法に設定されたことを特徴とする。
【０００９】
請求項２の発明では、請求項１記載の発明において、前記第２の係止部は、前記第１の保持部によって前記表示ユニットが前記器具本体に保持されている状態では、前記表示ユニットの前後方向における移動を制限することを特徴とする。
【００１０】
請求項３の発明では、請求項１または２の何れかに記載の発明において、前記第２の係止部は、前記表示ユニットが前記第１の係止部によって保持される位置から、自重によって前記一定量下方に移動する際に、前記表示ユニットをガイドする手段を兼ねることを特徴とする。
【００１１】
請求項４の発明では、請求項１〜３の何れか一項に記載の発明において、前記一定量は、前記第２の係止部によって前記表示ユニットが保持された状態において、前記光源からの光によって前記表示パネルの明るさが所定の基準値以上となるような寸法に設定されたことを特徴とする。
【発明の効果】
【００１２】
請求項１の発明によれば、第１の係止部が破損した場合には、第２の係止部によって表示ユニットが器具本体に保持される。このとき、光源からの光が前記器具本体から直接外部に照射される位置まで表示ユニットが下方に移動するので、第１の係止部が破損したことを容易に察知することができ、交換や修理などの対策を行うことを可能にする。
【００１３】
請求項２の発明によれば、第１の係止部によって表示ユニットが器具本体に保持されている際に、第２の係止部によって前後方向の移動が抑制されるので、表示ユニットと器具本体との密着度を高めることができる。
【００１４】
請求項３の発明によれば、第１の係止部が破損した際には、第２の係止部によって表示ユニットの移動がガイドされるので、第２の係止部によって確実に保持することができる。
【００１５】
請求項４の発明によれば、第２の係止部によって表示ユニットが器具本体に保持されている場合であっても、表示パネルを所定の基準値以上に発光させて、表示灯としての機能を継続することができる。
【図面の簡単な説明】
【００１６】
【図１】本発明の実施の形態にかかる表示灯の要部を示す概略断面図であり、（ａ）は通常時、（ｂ）は第１の係合部の破損時を示す。
【図２】同表示灯を示す分解斜視図である。
【図３】同表示灯の要部を示す分解斜視図である。
【発明を実施するための形態】
【００１７】
以下に本発明の実施の形態を図１〜図３に基づいて説明する。なお、以下の説明においては、図１（ａ）における上下方向を表示灯Ａの上下とし、図１（ａ）における左右方向を表示灯Ａの前後、図１（ａ）において紙面と垂直な方向を表示灯Ａの左右として説明を行う。
【００１８】
本実施形態の表示灯Ａは、前面が開口した直方体状の器具本体１０と、器具本体１０前面の開口を覆うようにして取り付けられる表示ユニット２０および光源ユニット３０と、器具本体１０内に配置され、表示ユニット２０を点灯させる点灯装置１５とを備えている。
【００１９】
光源ユニット３０は、例えばＬＥＤ（図示せず）を光源として備えており、点灯装置１５から供給される点灯電力によって光源を点灯させ、例えば導光体を用いて光源からの光を線状にして、光源ユニット３０の下方側に向けて照射する。光源ユニット３０の下側には、器具本体１０前面の開口に沿って表示ユニット２０が配設されているので、光源ユニット３０からの照射光は表示ユニット２０の上側の端面に入射される。
【００２０】
器具本体１０は、例えば合成樹脂の成形品からなり、上壁および後壁には、切除することで商用電源からの電線（図示せず）を器具本体１０内に挿入するための電源穴となるノックアウト部１１が形成されている。また器具本体１０の上壁及び後壁には、切除することで器具本体を天井面や壁面に固定するための、取付ねじを挿通する取付孔となるノックアウト部１２ａ、１２ｂが形成されている。ここで、器具本体１０を天井面や壁面に固定する場合には、ノックアウト部１１、１２ａ、１２ｂをそれぞれ必要に応じて切除して開口させ、商用電源に接続された電線を配線し、取付ねじなどで天井面や壁面に取り付ければよく、器具本体１０に不要な孔が開けられるのを防ぐことができる。
【００２１】
また、器具本体１０の内部には、光源ユニット３０と電線を介して接続され、光源ユニット３０の光源であるＬＥＤ（図示せず）を点灯させる点灯装置１５と、商用電源が接続された端子台１６と、蓄電池を有する非常用電源ブロック１７とが配設されている。点灯装置１５は、端子台１６及び電線を介して商用電源と接続されるとともに、電線を介して非常用電源ブロック１７と接続されている。これにより、通常時は商用電源からの供給電力によって、点灯装置１５が光源ユニット３０を点灯させ、また、商用電源が停電した非常時には、非常用電源ブロック１７の蓄電池から給電されてＬＥＤを点灯させることができる。
【００２２】
また、器具本体１０の左右両側壁の内面側には、上下方向に所定の間隔を隔ててＬ字状の係止片１３、１４が形成されている。係止片１３、１４は、それぞれ上下方向に沿って延びる保持片１３ａ、１４ａと、保持片１３ａ、１４ａの下端縁から後方へ延びる規制片１３ｂ、１４ｂからなる。
【００２３】
表示ユニット２０は、図３に示すように、例えば避難口へ誘導するためのピクトグラムが表記された透光性を有する表示パネル２１と、表示パネル２１の後面側に配設され光源ユニット３０の光を表示パネル２１へ導光する導光板２２と、導光板２２の後面に配設された反射シート２３と、表示パネル２１、導光板２２、及び、反射シート２３を保持する合成樹脂製のパネルケース２４とを備えている。
【００２４】
パネルケース２４は、器具本体１０の左右幅に略等しい左右幅を有し器具本体１０の上下幅よりもやや小さな上下幅を有する矩形状の取付ベース２４ａと、取付ベース２４ａの周部において上辺を除いた３辺に沿って前方へ連続一体に突設された保持枠２４ｂとを備え、保持枠２４ｂのうち左右両側部の内面には、表示パネル２１をスライド自在に保持するためのガイド溝２４ｃが形成されている。
【００２５】
表示パネル２１の左右両端縁からは、側片２１ａがそれぞれ後方に向かって突設されている。ここで、表示パネル２１、導光板２２、及び、反射シート２３は、それぞれ重ね合わせられ、パネルケース２４の保持枠２４ｂの上方から側片２１ａをガイド溝２４ｃに導入して下方にスライドさせることにより、パネルケース２４に保持される。このとき、表示パネル２１は、パネルケース２４によって下方向、前後方向、および左右方向への移動が規制されている。
【００２６】
導光板２２は、上下方向において下側ほど厚さが薄くなるように形成されており、上側の端面から入射された光が、導光板２２の前面側の発光面において、均一な光が出射されるように設定されている。
【００２７】
また、取付ベース２４ａの後面における左右の両端部には、係合突起２５、２６が上下方向に間隔をあけて設けられている。係合突起２５、２６は、上方から見た形状がＬ字形に形成され、取付ベース２４ａの後面から後方に突出し、さらにその後端部から左右方向における外側に向かって突出している。ここで、係合突起２５、２６は、係止片１３、１４とそれぞれ対応しており、係合突起２５及び係止片１３が第１の係止部を構成し、係合突起２６及び係止片１４が第２の係止部を構成している。
【００２８】
パネルケース２４を器具本体１０に取着させる際には、まずパネルケース２４を器具本体１０の前面上側から器具本体１０の開口を塞ぐように密着させ、次にパネルケース２４を器具本体１０の前面に沿わせて下方側に向けてスライドさせる。これにより、図１（ａ）に示すように、上側の係合突起２５の前面が保持片１３ａと当接してパネルケース２４を器具本体１０と密着されるとともに、係合突起２５の下端側が規制片１３ｂと当接して、パネルケース２４が器具本体１０の下方に移動することを制限し、パネルケース２４が器具本体１０に保持される。また、下側の係合突起２６の前面が保持片１４ａと当接することで、パネルケース２４の下側部分が前後方向に移動することを抑制し、パネルケース２４と器具本体１０の密着度を高めている。なお、係合突起２６の下端側と保持片１４ａとの間には、一定の間隔Ｌが開くように係合突起２６及び係止片１４の位置が設定されている。なお、パネルケース２４を器具本体１０の前面に取り付けた後、器具本体１０の前面の残りの開口部を覆うようにして光源ユニット３０が取り付けられる。
【００２９】
ここで、例えば上側の係止片１３の規制片１３ｂが破損すると（図１（ｂ）を参照）、パネルケース２４は自重によって下方に向かって移動する。このとき、係合突起２５、２６の前面と保持片１４ａとは当接してパネルケース２４と器具本体１０の密着度を高めているので、係合突起２５、２６及び保持片１３ａ、１４ａは、パネルケース２４が移動する際のガイドとして機能し、パネルケース２４が器具本体１０から離れて落下することを防止している。
【００３０】
また、パネルケース２４が間隔Ｌと同じだけ下方に移動すると、下側の係合突起２６の下端側が下側の規制片１４の規制片１４ｂと当接するので、パネルケース２４は再度、器具本体１０の下方に移動することが制限されるとともに、係合突起２６の側面側が保持片１４ａと当接してパネルケース２４を器具本体１０と密着させる。すなわち、第１の係止部である係合突起２５または係止片１３の何れかが破損した場合には、パネルケース２４が間隔Ｌだけ下方に移動した状態で、第２の係止部である係合突起２６及び係止片１４によって、パネルケース２４が器具本体１０に密着した状態で保持される。
【００３１】
このとき、パネルケース２４の上端面と光源ユニット３０の間には、間隔Ｌと同じ長さの開口４０が開くので、光源ユニット３０からの照射光の一部が、器具本体１０の外部に照射されることとなる。これにより、第１の係止部である係合突起２５または係止片１３の何れかが破損したことを察知することができ、交換や修理などの対策を行うことを可能にしている。
【００３２】
ここで間隔Ｌは、第２の係止部である係合突起２６及び係止片１４によってパネルケース２４が器具本体１０に保持された状態において、表示パネル２１の明るさが、表示パネル２１に表記されたピクトグラムを正しく認識することが可能な、所定の基準値以上の明るさとなるように設定されており（例えば、８．５ｍｍ）、係合突起２５または係止片１３が破損した場合であっても、表示灯としての機能を継続することができる。
【符号の説明】
【００３３】
Ａ          表示灯
１０        器具本体
１３        係止片（第１の係止部）
１３ａ      保持片
１３ｂ      規制片
１４        係止片（第２の係止部）
１４ａ      保持片
１４ｂ      規制片
１５        点灯装置
２０        表示ユニット
２１        表示パネル
２２        導光板
２４        パネルケース
２５        係合突起（第１の係止部）
２６        係合突起（第２の係止部）
３０        光源ユニット
【図１】
2010277792.tif 000003
【図２】
2010277792.tif 000004
【図３】
2010277792.tif 000005